(57)【要約】【課題】  非使用状態におけるスタンドの小型化を図ると共に使用状態における電子機器の支持状態の安定化を図る。【解決手段】  電子機器に取り付けられ少なくとも一部が載置面に接した状態で電子機器を支持し、電子機器に取り付けられる被取付体と、被取付体が結合された第１の支持ベースと、少なくとも一部が第１の支持ベースに重ねられた状態で第１の支持ベースと互いに回動可能に連結された第２の支持ベースとを備え、第１の支持ベース及び第２の支持ベースはそれぞれ所定の方向に延びるように形成されたベース部とベース部の長手方向における両端部にそれぞれ設けられた脚部とを有し、第１の支持ベース及び第２の支持ベースの長手方向における少なくとも一方の端部がそれぞれ載置面に接して電子機器を支える支え部として設けられた。【選択図】        図１
2013030499.tif 000002
【特許請求の範囲】
【請求項１】
電子機器に取り付けられ少なくとも一部が載置面に接した状態で前記電子機器を支持し、
前記電子機器に取り付けられる被取付体と、
前記被取付体が結合された第１の支持ベースと、
少なくとも一部が前記第１の支持ベースに重ねられた状態で前記第１の支持ベースと互いに回動可能に連結された第２の支持ベースとを備え、
前記第１の支持ベース及び前記第２の支持ベースはそれぞれ所定の方向に延びるように形成されたベース部と前記ベース部の長手方向における両端部にそれぞれ設けられた脚部とを有し、
前記第１の支持ベース及び前記第２の支持ベースの前記長手方向における少なくとも一方の端部がそれぞれ前記載置面に接して前記電子機器を支える支え部として設けられた
スタンド。
【請求項２】
前記第１の支持ベース及び前記第２の支持ベースの前記各ベース部がそれぞれ板状に形成され、
前記第１の支持ベースと前記第２の支持ベースの前記各ベース部の少なくとも一部が厚さ方向において重ねられた状態とされ、
前記第１の支持ベース及び前記第２の支持ベースの前記各脚部は前記ベース部の幅方向における長さがそれぞれ前記第１の支持ベース及び前記第２の支持ベースの前記各ベース部の幅より短くされ、
前記第１の支持ベース及び前記第２の支持ベースは前記各ベース部の前記長手方向が一致する閉じ位置と前記第１の支持ベース及び前記第２の支持ベースの回動方向における前記各ベース部間の角度が所定の角度になる開き位置との間で回動され、
前記閉じ位置において前記第１の支持ベースの脚部と前記第２の支持ベースの脚部とが前記第１の支持ベースと前記第２の支持ベースの回動方向において隣接するようにされた
請求項１に記載のスタンド。
【請求項３】
前記第１の支持ベース及び前記第２の支持ベースの前記各ベース部は前記長手方向における長さが同じにされ、
前記第１の支持ベース及び前記第２の支持ベースの前記各ベース部は前記両端部以外の部分の幅が同じにされ、
前記第１の支持ベースの一方の前記脚部が前記ベース部の幅方向における一方の部分に設けられ、
前記第１の支持ベースの他方の前記脚部が前記ベース部の幅方向における他方の部分に設けられ、
前記第２の支持ベースの前記ベース部における前記両端部にそれぞれ前記長手方向及び幅方向に開口された切欠が形成され、
前記切欠はそれぞれ前記第２の支持ベースの前記ベース部における前記開き位置から前記閉じ位置への回動方向側に位置された
請求項２に記載のスタンド。
【請求項４】
前記第１の支持ベース及び前記第２の支持ベースの少なくとも一方の前記ベース部に前記長手方向に延びるスリットが形成され、
前記スリットに挿入され前記スリットに案内されて相対的に移動可能とされる軸部を有すると共に前記被取付体に結合された結合部が設けられ、
前記軸部が他方の前記ベース部を貫通され、
前記結合部と前記他方のベース部を有する支持ベースとが前記一方のベース部を有する支持ベースに対して一体で相対的に移動されるようにした
請求項１に記載のスタンド。
【請求項５】
前記第１の支持ベースと前記第２の支持ベースが前記長手方向における中央部において連結され、
前記被取付体が前記第１の支持ベースの前記長手方向における中央部に結合された
請求項１に記載のスタンド。
【請求項６】
前記被取付体に前記第１の支持ベースに対して傾動可能な傾動部を設けた
請求項１に記載のスタンド。
【請求項７】
前記被取付体に前記傾動部をロックするロック部を設けた
請求項６に記載のスタンド。
【請求項８】
前記脚部がゴム又はエラストマーにより形成された
請求項１に記載のスタンド。
【請求項９】
前記第１の支持ベースの前記ベース部における前記第２の支持ベースが重ねられる側と反対側にクッションが取り付けられ、
少なくとも前記第１の支持ベースの前記ベース部及び前記クッションが持ち手として機能するグリップ部として設けられた
請求項１に記載のスタンド。
【請求項１０】
電子機器と、
前記電子機器に取り付けられて少なくとも一部が載置面に接した状態で前記電子機器を支持するスタンドとを備え、
前記スタンドは、
前記電子機器に取り付けられる被取付体と、
前記被取付体が結合された第１の支持ベースと、
少なくとも一部が前記第１の支持ベースに重ねられた状態で前記第１の支持ベースと互いに回動可能に連結された第２の支持ベースとを備え、
前記第１の支持ベース及び前記第２の支持ベースはそれぞれ所定の方向に延びるように形成されたベース部と前記ベース部の長手方向における両端部にそれぞれ設けられた脚部とを有し、
前記第１の支持ベース及び前記第２の支持ベースの前記長手方向における少なくとも一方の端部がそれぞれ前記載置面に接して前記電子機器を支える支え部として設けられた
機器ユニット。
【発明の詳細な説明】
【技術分野】
【０００１】
本技術はスタンド及び機器ユニットについての技術分野に関する。詳しくは、互いに回動可能に連結された第１の支持ベースと第２の支持ベースの少なくとも一方の端部が載置面に接して電子機器を支えるようにすることにより、非使用状態におけるスタンドの小型化を図ると共に使用状態における電子機器の支持状態の安定化を図る技術分野に関する。
【背景技術】
【０００２】
テレビジョン受像機やモニター等の表示装置、ビデオカメラやスチルカメラ等の撮像装置、ビデオライト等の照明機器、マイク等の音響機器等の各種の電子機器に取り付けられて電子機器を支えるスタンドがある。このようなスタンドは電子機器と共に機器ユニットを構成する。
【０００３】
上記のようなスタンドには、電子機器に取り付けられる被取付体と載置面に接して電子機器を支持する（支える）支持ベースとを備えたものがある（例えば、特許文献１参照）。
【０００４】
特許文献１に記載されたスタンドにおいては、支持ベースが略Ｔ字の板状に形成されたベース部とベース部の３箇所の端部にそれぞれ連結されベース部に対して回動可能な３本の脚とを有し、３本の脚が載置面に接した状態で電子機器が支持される。スタンドが電子機器から取り外されて使用されないときには、３本の脚が回動されてベース部に厚さ方向において重なる状態で折り畳まれ、ベース部の厚さ方向における小型化が図られる。
【先行技術文献】
【特許文献】
【０００５】
【特許文献１】特開２００５−１８９３０５号公報
【発明の概要】
【発明が解決しようとする課題】
【０００６】
ところが、特許文献１に記載されたスタンドにあっては、ベース部が略Ｔ字の板状に形成されているため、３本の脚が折り畳まれた非使用状態であってもベース部の厚さ方向に直交する方向における小型化を図ることができない。
【０００７】
また、特許文献１に記載されたスタンドにあっては、使用状態において３本の脚が載置面に接した状態で電子機器を支持するため、電子機器の支持状態が不安定になる場合がある。
【０００８】
そこで、本技術スタンド及び機器ユニットは、上記した問題点を克服し、非使用状態におけるスタンドの小型化を図ると共に使用状態における電子機器の支持状態の安定化を図ることを課題とする。
【課題を解決するための手段】
【０００９】
第１に、スタンドは、上記した課題を解決するために、電子機器に取り付けられ少なくとも一部が載置面に接した状態で前記電子機器を支持し、前記電子機器に取り付けられる被取付体と、前記被取付体が結合された第１の支持ベースと、少なくとも一部が前記第１の支持ベースに重ねられた状態で前記第１の支持ベースと互いに回動可能に連結された第２の支持ベースとを備え、前記第１の支持ベース及び前記第２の支持ベースはそれぞれ所定の方向に延びるように形成されたベース部と前記ベース部の長手方向における両端部にそれぞれ設けられた脚部とを有し、前記第１の支持ベース及び前記第２の支持ベースの前記長手方向における少なくとも一方の端部がそれぞれ前記載置面に接して前記電子機器を支える支え部として設けられたものである。
【００１０】
従って、スタンドにあっては、第１の支持ベースと第２の支持ベースがそれぞれ所定の状態に回動されて被取付体が電子機器に取り付けられ又は電子機器から取り外される。
【００１１】
第２に、上記したスタンドにおいては、前記第１の支持ベース及び前記第２の支持ベースの前記各ベース部がそれぞれ板状に形成され、前記第１の支持ベースと前記第２の支持ベースの前記各ベース部の少なくとも一部が厚さ方向において重ねられた状態とされ、前記第１の支持ベース及び前記第２の支持ベースの前記各脚部は前記ベース部の幅方向における長さがそれぞれ前記第１の支持ベース及び前記第２の支持ベースの前記各ベース部の幅より短くされ、前記第１の支持ベース及び前記第２の支持ベースは前記各ベース部の前記長手方向が一致する閉じ位置と前記第１の支持ベース及び前記第２の支持ベースの回動方向における前記各ベース部間の角度が所定の角度になる開き位置との間で回動され、前記閉じ位置において前記第１の支持ベースの脚部と前記第２の支持ベースの脚部とが前記第１の支持ベースと前記第２の支持ベースの回動方向において隣接するようにされることが望ましい。
【００１２】
板状に形成された各ベース部が厚さ方向において重ねられた状態で閉じ位置において第１の支持ベースの脚部と第２の支持ベースの脚部が回動方向において隣接することにより、閉じ位置において第１の支持ベースと第２の支持ベースが回動方向において隣接して位置される。
【００１３】
第３に、上記したスタンドにおいては、前記第１の支持ベース及び前記第２の支持ベースの前記各ベース部は前記長手方向における長さが同じにされ、前記第１の支持ベース及び前記第２の支持ベースの前記各ベース部は前記両端部以外の部分の幅が同じにされ、前記第１の支持ベースの一方の前記脚部が前記ベース部の幅方向における一方の部分に設けられ、前記第１の支持ベースの他方の前記脚部が前記ベース部の幅方向における他方の部分に設けられ、前記第２の支持ベースの前記ベース部における前記両端部にそれぞれ前記長手方向及び幅方向に開口された切欠が形成され、前記切欠はそれぞれ前記第２の支持ベースの前記ベース部における前記開き位置から前記閉じ位置への回動方向側に位置されることが望ましい。
【００１４】
第１の支持ベースの脚部がそれぞれベース部の幅方向において反対側に設けられ第２の支持ベースの切欠が開き位置から閉じ位置への回動方向側に位置されることにより、閉じ位置において第１の支持ベースの各脚部がそれぞれ第２の支持ベースの各切欠に挿入されて各ベース部の全体が厚さ方向に重なり合った状態とされる。
【００１５】
第４に、上記したスタンドにおいては、前記第１の支持ベース及び前記第２の支持ベースの少なくとも一方の前記ベース部に前記長手方向に延びるスリットが形成され、前記スリットに挿入され前記スリットに案内されて相対的に移動可能とされる軸部を有すると共に前記被取付体に結合された結合部が設けられ、前記軸部が他方の前記ベース部を貫通され、前記結合部と前記他方のベース部を有する支持ベースとが前記一方のベース部を有する支持ベースに対して一体で相対的に移動されるようにすることが望ましい。
【００１６】
第１の支持ベースと第２の支持ベースの少なくとも一方にスリットが形成され第１の支持ベースと第２の支持ベースが相対的に移動可能とされていることにより、第１の支持ベースと第２の支持ベースの位置が調整可能になる。
【００１７】
第５に、上記したスタンドにおいては、前記第１の支持ベースと前記第２の支持ベースが前記長手方向における中央部において連結され、前記被取付体が前記第１の支持ベースの前記長手方向における中央部に結合されることが望ましい。
【００１８】
第１の支持ベースと第２の支持ベースが長手方向における中央部において連結され被取付体が第１の支持ベースの長手方向における中央部に結合されることにより、第１の支持ベースと第２の支持ベースが長手方向における中央部を支点として互いに回動される。
【００１９】
第６に、上記したスタンドにおいては、前記被取付体に前記第１の支持ベースに対して傾動可能な傾動部を設けることが望ましい。
【００２０】
被取付体に第１の支持ベースに対して傾動可能な傾動部を設けることにより、被取付体の傾動部が取り付けられた電子機器が傾動部と共に電子機器を支持する第１の支持ベースに対して傾動される。
【００２１】
第７に、上記したスタンドにおいては、前記被取付体に前記傾動部をロックするロック部を設けることが望ましい。
【００２２】
被取付体に傾動部をロックするロック部を設けることにより、傾動部がロックされた状態で電子機器が保持される。
【００２３】
第８に、上記したスタンドにおいては、前記脚部がゴム又はエラストマーにより形成されることが望ましい。
【００２４】
脚部がゴム又はエラストマーにより形成されることにより、脚部が載置面に接した状態において脚部が変形される。
【００２５】
第９に、上記したスタンドにおいては、前記第１の支持ベースの前記ベース部における前記第２の支持ベースが重ねられる側と反対側にクッションが取り付けられ、少なくとも前記第１の支持ベースの前記ベース部及び前記クッションが持ち手として機能するグリップ部として設けられることが望ましい。
【００２６】
第１の支持ベースのベース部にクッションが取り付けられ第１の支持ベースのベース部及びクッションが持ち手として機能するグリップ部として設けられることにより、クッションに手が接触された状態においてクッションが変形される。
【００２７】
第１０に、機器ユニットは、上記した課題を解決するために、電子機器と、前記電子機器に取り付けられて少なくとも一部が載置面に接した状態で前記電子機器を支持するスタンドとを備え、前記スタンドは、前記電子機器に取り付けられる被取付体と、前記被取付体が結合された第１の支持ベースと、少なくとも一部が前記第１の支持ベースに重ねられた状態で前記第１の支持ベースと互いに回動可能に連結された第２の支持ベースとを備え、前記第１の支持ベース及び前記第２の支持ベースはそれぞれ所定の方向に延びるように形成されたベース部と前記ベース部の長手方向における両端部にそれぞれ設けられた脚部とを有し、前記第１の支持ベース及び前記第２の支持ベースの前記長手方向における少なくとも一方の端部がそれぞれ前記載置面に接して前記電子機器を支える支え部として設けられたものである。
【００２８】
従って、機器ユニットにあっては、第１の支持ベースと第２の支持ベースがそれぞれ所定の状態に回動されて被取付体が電子機器に取り付けられ又は電子機器から取り外される。
【発明の効果】
【００２９】
本技術スタンドは、電子機器に取り付けられ少なくとも一部が載置面に接した状態で前記電子機器を支持し、前記電子機器に取り付けられる被取付体と、前記被取付体が結合された第１の支持ベースと、少なくとも一部が前記第１の支持ベースに重ねられた状態で前記第１の支持ベースと互いに回動可能に連結された第２の支持ベースとを備え、前記第１の支持ベース及び前記第２の支持ベースはそれぞれ所定の方向に延びるように形成されたベース部と前記ベース部の長手方向における両端部にそれぞれ設けられた脚部とを有し、前記第１の支持ベース及び前記第２の支持ベースの前記長手方向における少なくとも一方の端部がそれぞれ前記載置面に接して前記電子機器を支える支え部として設けられている。
【００３０】
従って、電子機器から取り外される非使用状態において、第１の支持ベースと第２の支持ベースが各ベース部の長手方向が一致する方向へ回動することができるので、非使用状態におけるスタンドの小型化を図ることができる。
【００３１】
また、電子機器が支持される使用状態において、第１の支持ベース及び第２の支持ベースの長手方向における少なくとも一方の端部がそれぞれ支え部として機能して電子機器が支持されるので、使用状態における電子機器の支持状態の安定化を図ることができる。
【００３２】
請求項２に記載した技術にあっては、前記第１の支持ベース及び前記第２の支持ベースの前記各ベース部がそれぞれ板状に形成され、前記第１の支持ベースと前記第２の支持ベースの前記各ベース部の少なくとも一部が厚さ方向において重ねられた状態とされ、前記第１の支持ベース及び前記第２の支持ベースの前記各脚部は前記ベース部の幅方向における長さがそれぞれ前記第１の支持ベース及び前記第２の支持ベースの前記各ベース部の幅より短くされ、前記第１の支持ベース及び前記第２の支持ベースは前記各ベース部の前記長手方向が一致する閉じ位置と前記第１の支持ベース及び前記第２の支持ベースの回動方向における前記各ベース部間の角度が所定の角度になる開き位置との間で回動され、前記閉じ位置において前記第１の支持ベースの脚部と前記第２の支持ベースの脚部とが前記第１の支持ベースと前記第２の支持ベースの回動方向において隣接するようにされている。
【００３３】
従って、閉じ位置において第１の支持ベースと第２の支持ベースが回動方向において隣接して位置されるので、非使用状態おいてスタンドのベース部の厚さ方向に直交する方向における小型化を図ることができる。
【００３４】
請求項３に記載した技術にあっては、前記第１の支持ベース及び前記第２の支持ベースの前記各ベース部は前記長手方向における長さが同じにされ、前記第１の支持ベース及び前記第２の支持ベースの前記各ベース部は前記両端部以外の部分の幅が同じにされ、前記第１の支持ベースの一方の前記脚部が前記ベース部の幅方向における一方の部分に設けられ、前記第１の支持ベースの他方の前記脚部が前記ベース部の幅方向における他方の部分に設けられ、前記第２の支持ベースの前記ベース部における前記両端部にそれぞれ前記長手方向及び幅方向に開口された切欠が形成され、前記切欠はそれぞれ前記第２の支持ベースの前記ベース部における前記開き位置から前記閉じ位置への回動方向側に位置されている。
【００３５】
従って、閉じ位置において第１の支持ベースの各脚部がそれぞれ第２の支持ベースの各切欠に挿入されて各ベース部の全体が厚さ方向に重なり合った状態とされるので、スタンドの構造の簡素化を図った上で非使用状態おいてスタンドのベース部の厚さ方向に直交する方向における小型化を図ることができる。
【００３６】
請求項４に記載した技術にあっては、前記第１の支持ベース及び前記第２の支持ベースの少なくとも一方の前記ベース部に前記長手方向に延びるスリットが形成され、前記スリットに挿入され前記スリットに案内されて相対的に移動可能とされる軸部を有すると共に前記被取付体に結合された結合部が設けられ、前記軸部が他方の前記ベース部を貫通され、前記結合部と前記他方のベース部を有する支持ベースとが前記一方のベース部を有する支持ベースに対して一体で相対的に移動されるようにしている。
【００３７】
従って、第１の支持ベースと第２の支持ベースの位置を調整してスタンドを電子機器に取り付けることができるので、電子機器の使用状況に拘わらず電子機器の安定した支持状態を確保することができる。
【００３８】
請求項５に記載した技術にあっては、前記第１の支持ベースと前記第２の支持ベースが前記長手方向における中央部において連結され、前記被取付体が前記第１の支持ベースの前記長手方向における中央部に結合されている。
【００３９】
従って、スタンドの構造の簡素化を図った上で非使用状態におけるスタンドの小型化を図ることができると共に使用状態における電子機器の支持状態の安定化を図ることができる。
【００４０】
請求項６に記載した技術にあっては、前記被取付体に前記第１の支持ベースに対して傾動可能な傾動部を設けている。
【００４１】
従って、電子機器の使用状況等に応じて傾動部を傾動させることにより電子機器を傾動させることができるので、スタンドの使い勝手の向上を図ることができる。
【００４２】
請求項７に記載した技術にあっては、前記被取付体に前記傾動部をロックするロック部を設けている。
【００４３】
従って、傾動部を第１の支持ベースに対して所要の角度に傾けた状態でロックして電子機器を保持することができるので、スタンドの良好な使い勝手を確保することができる。
【００４４】
請求項８に記載した技術にあっては、前記脚部がゴム又はエラストマーにより形成されている。
【００４５】
従って、脚部が載置面に接した状態において脚部が変形されて脚部の全てが載置面に接触可能であるので、電子機器の安定した支持状態を確保することができる。
【００４６】
請求項９に記載した技術にあっては、前記第１の支持ベースの前記ベース部における前記第２の支持ベースが重ねられる側と反対側にクッションが取り付けられ、少なくとも前記第１の支持ベースの前記ベース部及び前記クッションが持ち手として機能するグリップ部として設けられている。
【００４７】
従って、スタンドを把持具として使用したときに手が接触したクッションが変形されるので、スタンドを把持具として使用することにより用途の拡大を図ることができると共にスタンドに対する良好な把持状態を確保することができる。
【００４８】
本技術機器ユニットは、電子機器と、前記電子機器に取り付けられて少なくとも一部が載置面に接した状態で前記電子機器を支持するスタンドとを備え、前記スタンドは、前記電子機器に取り付けられる被取付体と、前記被取付体が結合された第１の支持ベースと、少なくとも一部が前記第１の支持ベースに重ねられた状態で前記第１の支持ベースと互いに回動可能に連結された第２の支持ベースとを備え、前記第１の支持ベース及び前記第２の支持ベースはそれぞれ所定の方向に延びるように形成されたベース部と前記ベース部の長手方向における両端部にそれぞれ設けられた脚部とを有し、前記第１の支持ベース及び前記第２の支持ベースの前記長手方向における少なくとも一方の端部がそれぞれ前記載置面に接して前記電子機器を支える支え部として設けられている。
【００４９】
従って、スタンドが電子機器から取り外される非使用状態において、第１の支持ベースと第２の支持ベースが各ベース部の長手方向が一致する方向へ回動することができるので、非使用状態におけるスタンドの小型化を図ることができる。
【００５０】
また、スタンドにより電子機器が支持される使用状態において、第１の支持ベース及び第２の支持ベースの長手方向における少なくとも一方の端部がそれぞれ支え部として機能して電子機器が支持されるので、使用状態における電子機器の支持状態の安定化を図ることができる。
【発明を実施するための形態】
【００５１】
以下に、本技術スタンド及び機器ユニットを実施するため最良の形態を添付図面を参照して説明する。
【００５２】
以下に示した最良の形態は、本技術スタンドをモニターやテレビジョン受像機等の表示装置に取り付けられるスタンドに適用し、本技術機器ユニットをこの表示装置とこの表示装置に取り付けられたスタンドにより構成された機器ユニットに適用したものである。
【００５３】
但し、本技術の適用範囲は表示装置に取り付けられるスタンド及び表示装置とこの表示装置に取り付けられたスタンドにより構成された機器ユニットに限られることはない。本技術スタンドは、例えば、ビデオカメラやスチルカメラ等の撮像装置、ビデオライト等の照明機器、マイク等の音響機器等の各種の電子機器に取り付けられるスタンドに広く適用することができる。また、本技術機器ユニットは、例えば、これらの各種の電子機器とこれらの電子機器に取り付けられたスタンドにより構成される各種の機器ユニットに広く適用することができる。
【００５４】
以下の説明にあっては、例として、スタンドが表示装置等の電子機器の下面に取り付けられた状態で方向を示すが、本技術の実施に関しては、これらの方向に限定されることはない。
【００５５】
＜第１の実施の形態＞
［機器ユニットの構成］
機器ユニット１は、図１に示すように、電子機器（表示装置）２と電子機器２に取り付けられるスタンド３とから成る。電子機器２はスタンド３の一部が載置面１００に接した状態でスタンド３によって支持されている。
【００５６】
電子機器２は正面に表示画面２ａと所定のスイッチ２ｂ、２ｂ、・・・とが設けられている。電子機器２は背面２ｃにバッテリー４が装着されている。電子機器２の下面２ｄ、両側面２ｅ、２ｅ及び上面２ｆにはそれぞれ取付ネジ穴５、５、・・・が形成され、取付ネジ穴５、５、・・・がスタンド３を取り付ける取付部として形成されている。
【００５７】
［スタンドの構成］
スタンド３は、図２及び図３に示すように、電子機器２の取付ネジ穴５に取り付けられる被取付体６と、被取付体６に結合された第１の支持ベース７と、第１の支持ベース７に重ねられた状態で第１の支持ベース７と互いに回動可能に連結された第２の支持ベース８と、被取付体６に結合される結合部９とを備えている。
【００５８】
被取付体６は、図４及び図５に示すように、電子機器２の取付ネジ穴５に取り付けられる傾動部１０と傾動部１０を傾動自在に支持する基体部１１とから成る。被取付体６は傾動部１０が第１の支持ベース７に対して傾動可能とされている。
【００５９】
傾動部１０はボールスタッド１２と台座１３から成る。ボールスタッド１２は球状に形成されたボール部１４とボール部１４の外周面１４ａから突出された支持軸部１５とから成る。支持軸部１５の長手方向における中央部にはフランジ部１５ａが設けられ、支持軸部１５のフランジ部１５ａより先端側の部分が取付ネジ部１５ｂとして設けられている。
【００６０】
台座１３は略円板状に形成され、台部１６と台部１６の上面に取り付けられ電子機器２に接する接面部１７とから成る。接面部１７は弾性を有する材料により形成され、台座１３の電子機器２への接触時に電子機器２の傷付きを防止する機能を有する。台座１３の中心にはネジ穴１３ａが形成されている。
【００６１】
台座１３はネジ穴１３ａにボールスタッド１２の取付ネジ部１５ｂが螺合されてボールスタッド１２に取り付けられる。台座１３の下面がフランジ部１５ａの上面に接した状態においては、台座１３から取付ネジ部１５ｂの一部が上方へ突出される。
【００６２】
基体部１１は、第１の支持ベース７に結合された本体部１８と、本体部１８に対して回動可能な回動部１９と、本体部１８の内部に配置された可動部２０と、可動部２０に摺動されて可動部２０を上下方向へ移動させるロックネジ２１とを有している。可動部２０とロックネジ２１は傾動部１０をロックするロック部として設けられている。
【００６３】
本体部１８は略円板状に形成された基部２２と基部２２の外周部から上方へ突出された周面部２３とから成る。基部２２には下方に開口された結合ネジ穴２２ａが形成されている。周面部２３の内周面における上端部には周方向に延びる係合凹部２３ａが形成されている。周面部２３の下端部には水平方向に貫通された調整ネジ穴２３ｂが形成されている。
【００６４】
回動部１９は略円筒状に形成された円筒部２４と円筒部２４の下端部から外側へ張り出された係合突部２５と円筒部２４の上端部から内側へ突出されたボール規制部２６とから成る。回動部１９は係合突部２５が係合凹部２３ａに係合された状態で本体部１８に回動自在に支持されている。回動部１９には切欠１９ａが形成され、切欠１９ａはボール規制部２６の内端から半径方向に延び円筒部２４の下端寄りの位置まで形成されている。
【００６５】
可動部２０は略円板状に形成された円板部２７と円板部２７の下面から下方へ突出された円錐台状の円錐台部２８とから成る。円板部２７の上面における中央部には球面状の配置凹部２７ａが形成されている。円錐台部２８の傾斜した外周面の一部はロックネジ２１に接するネジ接触面２８ａとして形成されている。
【００６６】
可動部２０の配置凹部２７ａには傾動部１０のボール部１４が任意の方向へ摺動自在に支持され、ボール部１４はボール規制部２６によって基体部１１からの脱落が規制されている。
【００６７】
傾動部１０は支持軸部１５が回動部１９の切欠１９ａに挿入されることにより、支持軸部１５の軸方向が本体部１８の軸方向に対して略９０度になる範囲で傾動可能とされている（図４参照）。
【００６８】
ロックネジ２１は本体部１８の調整ネジ穴２３ｂに螺合され、先端部が可動部２０のネジ接触面２８ａに接触された状態とされている。
【００６９】
ロックネジ２１が調整ネジ穴２３ｂに対してねじ込まれていくと、ロックネジ２１の先端部による可動部２０に対する押付力が大きくなり可動部２０が押し上げられる。可動部２０が押し上げられると、可動部２０の配置凹部２７ａに支持されたボール部１４に可動部２０が押し付けられると共にボール部１４の外周面１４ａが回動部１９のボール規制部２６の内面に押し付けられる。従って、ボール部１４の回転が規制されて傾動部１０がロックされる。
【００７０】
逆に、ロックネジ２１が調整ネジ穴２３ｂに対してねじ戻されていくと、ロックネジ２１の先端部による可動部２０に対する押付力が小さくなり可動部２０が押し下げられる。可動部２０が押し下げられると、可動部２０の配置凹部２７ａに支持されたボール部１４が可動部２０に摺接可能な状態にされると共にボール部１４の外周面１４ａが回動部１９のボール規制部２６の内面に摺接可能な状態にされる。従って、ボール部１４が回動部１９及び可動部２０に対して回転可能とされ傾動部１０が基体部１１に対して傾動可能とされる。
【００７１】
上記したように、被取付体６には第１の支持ベース７に対して傾動可能な傾動部１０が設けられている。従って、被取付体６の傾動部１０が取り付けられた電子機器２が傾動部１０と共に傾動されるので、電子機器２の使用状況等に応じて傾動部１０を傾動させ電子機器２を傾動させて任意の向きにすることができ、スタンド３の使い勝手の向上を図ることができる。
【００７２】
また、上記したように、被取付体６には可動部２０とロックネジ２１が傾動部１０をロックするロック部として設けられている。従って、傾動部１０を第１の支持ベース７に対して所要の角度に傾けた状態でロックして電子機器２を所要の向きで保持することができるので、スタンド３の良好な使い勝手を確保することができる。
【００７３】
なお、上記には、ロックネジ２１と可動部２０により傾動部１０がロックされる例を示したが、被取付体はロックネジ２１と可動部２０がロック部として設けられた構成に限られることはない。例えば、被取付体を、ロックネジにより傾動部のボール部を可動部２０を介さずに基体部に押し付けてロックする構成としてもよい。被取付体を、可動部２０を介さずにボール部を基体部に押し付ける構成にすることにより、部品点数の削減による機構の簡素化を図ることができる。
【００７４】
第１の支持ベース７は、所定の方向に延び上下方向を向く板状に形成されたベース部２９と、ベース部２９の長手方向における両端部にそれぞれ設けられた脚部３０、３０と、ベース部２９の長手方向における中央部を除く両側の部分にそれぞれ取り付けられたクッション３１、３１とを有している（図２、図３、図６乃至図８参照）。
【００７５】
ベース部２９はプラスチック等の樹脂材料や金属材料等の強度の高い材料により形成されている。ベース部２９の長手方向における中央部には貫通孔２９ａが形成されている。
【００７６】
脚部３０、３０はゴム又はエラストマーにより形成されている。脚部３０、３０はベース部２９の長手方向における両端部からそれぞれ下方へ突出されている。脚部３０、３０は、例えば、ベース部２９と同じ方向に延びる略直方体状に形成されている。脚部３０、３０は幅がそれぞれベース部２９の幅の半分にされている。一方の脚部３０はベース部２９の幅方向における一方の半分の部分に位置され、他方の脚部３０はベース部２９の幅方向における他方の半分の部分に位置されている。
【００７７】
クッション３１、３１はフェルト等の布やゴム等の樹脂等の柔軟性を有する材料により形成されている。クッション３１、３１はベース部２９の上面にそれぞれ取り付けられている。
【００７８】
第２の支持ベース８は、所定の方向に延び上下方向を向く板状に形成されたベース部３２と、ベース部３２の長手方向における両端部にそれぞれ設けられた脚部３３、３３とを有している。
【００７９】
ベース部３２はプラスチック等の樹脂材料や金属材料等の強度の高い材料により形成されている。ベース部３２は長さが第１の支持ベース７のベース部２９の長さと略同じにされ、長手方向における両端部以外の部分の幅が第１の支持ベース７のベース部２９の幅と略同じにされている。
【００８０】
ベース部３２の長手方向における中央部には貫通孔３２ａが形成されている。ベース部３２の長手方向における両端部にはそれぞれ長手方向及び幅方向に開口された切欠３２ｂ、３２ｂが形成されている。一方の切欠３２ｂはベース部３２の幅方向における一方の側に形成され、他方の切欠３２ｂはベース部３２の幅方向における他方の側に形成されている。ベース部３２の長手方向における両側の端面のうち切欠３２ｂ、３２ｂが形成された部分３２ｃ、３２ｃはそれぞれ幅方向における側縁に近付くに従って長手方向における中央に近付く円弧状に形成されている。
【００８１】
脚部３３、３３はゴム又はエラストマーにより形成されている。脚部３３、３３はベース部３２の長手方向における両端部からそれぞれ下方へ突出されている。脚部３３、３３は、例えば、ベース部３２と同じ方向に延びる略直方体状に形成されている。脚部３３、３３の突出量は第１の支持ベース７の脚部３０、３０の突出量より第１の支持ベース７のベース部２９の厚さ分だけ小さくされている。
【００８２】
第１の支持ベース７及び第２の支持ベース８は長手方向における両端部が、それぞれ載置面１００に接して電子機器２を支える支え部３４、３４、・・・として設けられている。
【００８３】
第１の支持ベース７と第２の支持ベース８は長手方向における中央部において連結される。
【００８４】
結合部９は、円板状の締付部３５と、締付部３５から上方へ突出され螺溝が形成された軸部３６とから成る（図３、図４、図６乃至図８参照）。締付部３５の下面には直線状の溝３５ａが形成されている。結合部９は軸部３６が第１の支持ベース７の貫通孔２９ａ及び第２の支持ベース８の貫通孔３２ａに貫通され被取付体６の結合ネジ穴２２ａに螺合されて被取付体６に結合される。結合部９は溝３５ａに図示しないドライバー等の治具が挿入されて回転されることにより被取付体６に結合され又は被取付体６から分離される。
【００８５】
なお、結合部９の締付部３５には三脚取付用のネジ穴が軸部３６と同軸上に形成されていてもよい。
【００８６】
上記したように、結合部９は軸部３６が第２の支持ベース８の貫通孔３２ａ及び第１の支持ベース７の貫通孔２９ａに貫通されて結合ネジ穴２２ａに螺合されることにより被取付体６に結合される。結合部９が被取付体６に結合されることにより、第１の支持ベース７と第２の支持ベース８が長手方向における中央部において結合部９の締付部３５と被取付体６の本体部１８とによって挟持され、第１の支持ベース７と第２の支持ベース８が結合部９の軸部３６を支点として回動可能に連結される。
【００８７】
結合部９が一方へ回転されて結合部９と被取付体６の結合が緩められると、第１の支持ベース７及び第２の支持ベース８は各ベース部２９、３２の長手方向が一致する閉じ位置（図７参照）と各ベース部２９、３２間の角度が所定の角度、例えば、９０度になる開き位置（図８参照）との間で回動可能な状態とされる。第１の支持ベース７と第２の支持ベース８が閉じ位置に存在しない状態においては、切欠３２ｂ、３２ｂがそれぞれ脚部３０、３０に対して開き位置から閉じ位置へ向けての回動方向側に位置されている。
【００８８】
第１の支持ベース７と第２の支持ベース８が閉じ位置に回動されると、第１の支持ベース７の脚部３０、３０がそれぞれ第２の支持ベース８の切欠３２ｂ、３２ｂに挿入される（図７参照）。従って、閉じ位置においては、脚部３０、３０と脚部３３、３３が第１の支持ベース７と第２の支持ベース８の回動方向においてそれぞれ隣接され、各ベース部２９、３２の全体が厚さ方向において重なり合う。
【００８９】
上記したように、ベース部３２の切欠３２ｂ、３２ｂが形成された部分３２ｃ、３２ｃはそれぞれ幅方向における側縁に近付くに従って長手方向における中央に近付く円弧状に形成されている。従って、第１の支持ベース７と第２の支持ベース８が開き位置から閉じ位置に回動されるときに、第１の支持ベース７の脚部３０、３０のベース部３２に対する接触が回避され、第１の支持ベース７と第２の支持ベース８を円滑に回動させることができる。
【００９０】
上記のように構成されたスタンド３は被取付体６の取付ネジ部１５ｂが電子機器２の、例えば、下面２ｄに形成された取付ネジ穴５に螺合され、電子機器２の下面に被取付体６の台座１３の接面部１７が接触された状態で電子機器２に取り付けられる（図４参照）。なお、スタンド３は、後述するように、取付ネジ部１５ｂが電子機器２の両側面２ｅ、２ｅ又は上面２ｆに形成された何れかの取付ネジ穴５に螺合されて電子機器２に取り付けられる場合もある。
【００９１】
［スタンドの使用状態］
以下に、電子機器２に対するスタンド３の使用状態について説明する（図１、図９乃至図１４参照）。
【００９２】
第１の使用状態として、上記したように、スタンド３が電子機器２の下面２ｄに形成された取付ネジ穴５に取り付けられて電子機器２が支持される状態がある（図１参照）。
【００９３】
第１の使用状態においては、第１の支持ベース７と第２の支持ベース８を載置面１００の状況や電子機器２の使用状況等に応じて閉じ位置と開き位置の間の所要の位置に回動させた状態で結合部９と被取付体６によって固定することが可能である。このとき、スタンド３は第１の支持ベース７の脚部３０、３０及び第２の支持ベース８の脚部３３、３３がそれぞれ載置面１００に接する。従って、第１の使用状態においては、脚部３０、３０及び脚部３３、３３が載置面１００に接して電子機器２を支える支え部３４、３４、・・・として機能する。
【００９４】
上記したように、第１の支持ベース７の脚部３０、３０及び第２の支持ベース８の脚部３３、３３がそれぞれゴム又はエラストマーにより形成されている。従って、載置面１００の凹凸等の状況や加工精度により脚部３０、３０や脚部３３、３３の寸法誤差が発生している状況等においても、脚部３０、３０や脚部３３、３３が変形されてこれらの全てが載置面１００に接するので、電子機器２の安定した支持状態を確保することができる。また、脚部３０、３０及び脚部３３、３３が載置面１００に接したときの両者の傷付きを防止することができる。
【００９５】
第２の使用状態として、スタンド３が電子機器２の一方の側面２ｅに形成された取付ネジ穴５に取り付けられて電子機器２が支持される状態がある（図９及び図１０参照）。
【００９６】
第２の使用状態においては、第１の支持ベース７と第２の支持ベース８を載置面１００の状況や電子機器２の使用状況等に応じて閉じ位置と開き位置の間の所要の位置に回動させた状態で結合部９と被取付体６によって固定することが可能である。このとき、第１の支持ベース７はベース部２９の長手方向における一端が載置面１００に接し、第２の支持ベース８はベース部３２の長手方向における一端が載置面１００に接する。また、電子機器２は下面２ｄが載置面１００に接する。従って、第２の使用状態においては、第１の支持ベース７及び第２の支持ベース８の長手方向における一方の端部がそれぞれ支え部３４、３４として機能する。
【００９７】
第２の使用状態は、電子機器２を載置面１００に近付けて電子機器２を低い位置に配置したい場合に、特に、有効な使用状態である。
【００９８】
第３の使用状態として、二つのスタンド３、３がそれぞれ電子機器２の両側面２ｅ、２ｅに形成された取付ネジ穴５、５に取り付けられて電子機器２が支持される状態がある（図１１及び図１２参照）。
【００９９】
第３の使用状態においては、第１の支持ベース７、７と第２の支持ベース８、８を載置面１００の状況や電子機器２の使用状況等に応じて閉じ位置と開き位置の間の所要の位置に回動させた状態で結合部９、９と被取付体６、６によって固定することが可能である。この所要の位置は、第１の支持ベース７及び第２の支持ベース８の回動方向における各ベース部２９、３２間の角度が上記した第２の使用状態における各ベース部２９、３２間の角度より小さくなる位置にすることが可能である。このとき、第１の支持ベース７、７はベース部２９、２９の長手方向における一端がそれぞれ載置面１００に接し、第２の支持ベース８、８はベース部３２、３２の長手方向における一端が載置面１００に接する。また、電子機器２は、各ベース部２９、３２間の角度を第２の使用状態の場合より小さくすることにより、下面２ｄが載置面１００から上方に離隔した状態とされる。従って、第３の使用状態においては、第１の支持ベース７、７及び第２の支持ベース８、８の長手方向における一方の端部がそれぞれ支え部３４、３４、・・・として機能する。なお、電子機器２を載置面１００に接した状態としてもよい。
【０１００】
第３の使用状態は、第１の支持ベース７、７の支え部３４、３４と第２の支持ベース８、８の支え部３４、３４とが電子機器２を挟んで反対側に位置されるため、第１の支持ベース７、７の支え部３４、３４と第２の支持ベース８、８との距離が大きく、電子機器２をより安定した状態で支持することができる。また、第３の使用状態においては、ベース部２９、２９とベース部３２、３２の角度を変更することにより電子機器２の高さを調整することができる。
【０１０１】
第４の使用状態として、スタンド３が電子機器２の上面２ｆに形成された取付ネジ穴５に取り付けられて電子機器２の持ち運びが行われる状態がある（図１３参照）。
【０１０２】
第４の使用状態においては、第１の支持ベース７と第２の支持ベース８を閉じ位置に回動させた状態で結合部９と被取付体６によって固定することが可能である。このとき、クッション３１、３１がベース部２９及びベース部３２の下側に位置され、クッション３１、３１に下側から宛がわれた手１１０によってベース部２９、クッション３１、３１及びベース部３２が把持される。従って、第４の使用状態においては、ベース部２９及びクッション３１、３１が電子機器２を持ち運ぶための持ち手となるグリップ部として機能する。なお、第４の使用状態においては、第１の支持ベース７と第２の支持ベース８を閉じ位置と開き位置の間の所要の位置に回動させた状態で固定し、ベース部２９及びクッション３１、３１を把持してもよい。
【０１０３】
上記したように、スタンド３にはベース部２９の厚さ方向における一方の側にクッション３１、３１が取り付けられ、第４の使用状態においては、少なくともベース部２９及びクッション３１、３１が持ち手として機能するグリップ部とされる。
【０１０４】
従って、第４の使用状態においては、クッション３１、３１に手１１０が接触された状態でスタンド３を把持することができるので、スタンド３を把持具として使用することにより用途の拡大を図ることができると共にスタンド３に対する良好な把持状態を確保することができる。
【０１０５】
スタンド３は、上記した第１の使用状態乃至第４の使用状態以外の非使用状態においては、電子機器２から取り外される（図１４参照）。
【０１０６】
非使用状態においては、第１の支持ベース７と第２の支持ベース８を閉じ位置に回動させた状態で結合部９と被取付体６によって固定することが可能である。このとき脚部３０、３０と脚部３３、３３が第１の支持ベース７と第２の支持ベース８の回動方向においてそれぞれ隣接され、第１の支持ベース７及び第２の支持ベース８は各ベース部２９、３２の全体が厚さ方向に重なり合った状態とされる。
【０１０７】
このように非使用状態においては、板状に形成された各ベース部２９、３２が厚さ方向において重ねられた状態で脚部３０、３０と脚部３３、３３が回動方向において隣接するようにされている。従って、非使用状態において、スタンド３のベース部２９、３２の厚さ方向に直交する方向における小型化を図ることができる。
【０１０８】
また、上記したように、スタンド３にあっては、脚部３０、３０がそれぞれベース部２９の幅方向において反対側に設けられ、閉じ位置において脚部３０、３０がそれぞれ切欠３２ｂ、３２ｂに挿入されると共に各ベース部２９、３２の全体が厚さ方向に重なり合った状態とされる。従って、スタンド３の構造の簡素化を図った上で、非使用状態においてスタンド３のベース部２９、３２の厚さ方向に直交する方向における小型化を図ることができる。
【０１０９】
さらに、上記した第１の使用状態乃至第３の使用状態においては、スタンド３の取付ネジ部１５ｂが電子機器２の下面２ｄ又は両側面２ｅ、２ｅに形成された取付ネジ穴５（、５）に螺合されて電子機器２が支持される。このとき、スタンド３は第１の支持ベース７及び第２の支持ベース８の長手方向における少なくとも一方の端部が載置面１００に接し、電子機器２は下面２ｄ、第１の支持ベース７の支え部３４、３４及び第２の支持ベース８の支え部３４、３４を含めて少なくとも３箇所が載置面１００に接した状態で支持される。従って、第１の支持ベース７及び第２の支持ベース８の少なくとも一方の端部が支え部３４、３４として設けられ電子機器２は少なくとも３箇所が載置面１００に接した状態で支持されるので、非使用状態おけるスタンド３の小型化を図った上で使用状態における電子機器２の支持状態の安定化を図ることができる。
【０１１０】
さらにまた、上記したように、第１の支持ベース７と第２の支持ベース８が長手方向における中央部において連結され、被取付体６が第１の支持ベース７の長手方向における中央部に結合されている。従って、スタンド３の構造の簡素化を図った上で非使用状態におけるスタンド３の小型化を図ることができると共に使用状態における電子機器２の支持状態の安定化を図ることができる。
【０１１１】
＜第２の実施の形態＞
以下に、第２の実施の形態に係るスタンドについて説明する（図１５乃至図１９参照）。
【０１１２】
なお、以下に示す第２の実施の形態に係るスタンドは、上記したスタンド３と比較して、支持ベースにスリットが形成され一方の支持ベースが他方の支持ベースに対して移動可能とされていることが相違する。従って、第２の実施の形態に係るスタンドについては、スタンド３と比較して異なる部分についてのみ詳細に説明をし、その他の部分についてはスタンド３における同様の部分に付した符号を付して説明は省略する。
【０１１３】
［スタンドの構成］
第２の実施の形態に係るスタンド３Ａは、図１５に示すように、被取付体６と第１の支持ベース７Ａと第２の支持ベース８Ａと結合部９を備えている。第１の支持ベース７Ａと第２の支持ベース８Ａは厚さ方向において重ねられた状態で互いに回動可能に連結されている。
【０１１４】
第１の支持ベース７Ａは、所定の方向に延び上下方向を向く板状に形成されたベース部２９Ａと、ベース部２９Ａの長手方向における両端部にそれぞれ設けられた脚部３０、３０とを有している。
【０１１５】
ベース部２９Ａはプラスチック等の樹脂材料や金属材料等の強度の高い材料により形成されている。ベース部２９Ａの幅方向における中央部には長手方向に延びるスリット２９ｂが形成されている。スリット２９ｂはベース部２９Ａの長手方向における両端部以外の部分に形成されている。
【０１１６】
第２の支持ベース８Ａは、所定の方向に延び上下方向を向く板状に形成されたベース部３２Ａと、ベース部３２Ａの長手方向における両端部にそれぞれ設けられた脚部３３、３３とを有している。
【０１１７】
ベース部３２Ａはプラスチック等の樹脂材料や金属材料等の強度の高い材料により形成されている。ベース部３２Ａは長さが第１の支持ベース７Ａのベース部２９Ａの長さと略同じにされ、長手方向における両端部以外の部分の幅が第１の支持ベース７Ａのベース部２９Ａの幅と略同じにされている。
【０１１８】
ベース部３２Ａの長手方向における両端部にはそれぞれ切欠３２ｂ、３２ｂが形成されている。ベース部３２Ａの切欠３２ｂ、３２ｂが形成された部分３２ｃ、３２ｃは幅方向における側縁に近付くに従って長手方向における中央に近付く円弧状に形成されている。ベース部３２Ａの幅方向における中央部には長手方向に延びるスリット３２ｄが形成されている。スリット３２ｄはベース部３２Ａの長手方向における両端部以外の部分に形成されている。
【０１１９】
結合部９は軸部３６が第２の支持ベース８Ａのスリット３２ｄ及び第１の支持ベース７Ａのスリット２９ｂに挿入されて結合ネジ穴２２ａに螺合されることにより被取付体６に結合される。結合部９が被取付体６に結合されることにより、第１の支持ベース７Ａと第２の支持ベース８Ａが結合部９の締付部３５と被取付体６の本体部１８とによって挟持される。結合部９が被取付体６に結合されることにより、第１の支持ベース７Ａと第２の支持ベース８Ａが結合部９の軸部３６を支点として互いに回動可能に連結され、スリット２９ｂ及びスリット３２ｄが結合部９の軸部３６に案内されて第１の支持ベース７Ａと第２の支持ベース８Ａが互いに相対的に移動可能とされる。
【０１２０】
結合部９が一方へ回転されて結合部９と被取付体６の結合が緩められると、結合部９は軸部３６がスリット２９ｂ及びスリット３２ｄに案内されて第１の支持ベース７Ａ及び第２の支持ベース８Ａの両者に対して相対的に移動可能な状態とされる。また、第１の支持ベース７Ａと第２の支持ベース８Ａは軸部３６がスリット２９ｂ及びスリット３２ｄに挿入された状態において相対的に移動可能な状態とされる。例えば、第１の支持ベース７Ａと第２の支持ベース８Ａが直交された状態において、第１の支持ベース７Ａを結合部９と共に第２の支持ベース８Ａの長手方向に移動させることができる（図１６参照）。また、例えば、第２の支持ベース８Ａを結合部９と共に第１の支持ベース７Ａの長手方向に移動させることもできる（図１７参照）。
【０１２１】
［スタンドの使用状態］
スタンド３Ａにおいては、第１の支持ベース７Ａと第２の支持ベース８Ａを載置面１００の状況や電子機器２の使用状況等に応じて相対的に移動させて任意の位置において結合部９と被取付体６によって固定することが可能である。例えば、電子機器２の背面２ｃにバッテリー４が装着された場合には重心が後側に寄って位置することが多いが、このような場合に、図１８に示すように、第１の支持ベース７Ａと第２の支持ベース８Ａを直交させた状態で第１の支持ベース７Ａを第２の支持ベース８Ａに対して前寄りの位置に移動させてスタンド３Ａを電子機器２の下面２ｄに形成された取付ネジ穴５に取り付けて使用することができる。
【０１２２】
上記のように、電子機器２の重心が後側に寄って位置されたときに第１の支持ベース７Ａを第２の支持ベース８Ａに対して前寄りの位置に移動させることにより、第２の支持ベース８Ａの被取付体６より後側の長さが前側の長さより長くなるため、電子機器２を安定して支持することができる。
【０１２３】
上記したように、スタンド３Ａにあっては、第１の支持ベース７Ａと第２の支持ベース８Ａにそれぞれスリット２９ｂとスリット３２ｄが形成され第１の支持ベース７Ａと第２の支持ベース８Ａが相対的に移動可能とされている。従って、載置面１００の状況や電子機器２の使用状況等に応じて第１の支持ベース７Ａと第２の支持ベース８Ａの位置を調整してスタンド３Ａを電子機器２に取り付けることができるので、電子機器２の安定した支持状態を確保することができる。
【０１２４】
なお、上記には、第１の支持ベース７Ａと第２の支持ベース８Ａにそれぞれスリット２９ｂとスリット３２ｄが形成された例を示したが、一方の支持ベースにスリットが形成され他方の支持ベースに貫通孔が形成されていてもよい。このように構成した場合には、他方の支持ベースと結合部が一方の支持ベースに対して一体で相対的に移動されるため、一方の支持ベースと他方の支持ベースの位置を調整して電子機器２の安定した支持状態を確保することができる。
【０１２５】
また、上記には、第１の支持ベース７Ａのベース部２９Ａと第２の支持ベース８Ａのベース部３２Ａにそれぞれ長手方向に延びる一つずつのスリット２９ｂとスリット３２ｄが形成された例を示したが、支持ベースが相対的に移動可能とされていれば、ベース部に形成されるスリットの数や長さは任意である。例えば、図１９に示すスタンド３Ｂのように、第１の支持ベース７Ｂのベース部２９Ｂと第２の支持ベース８Ｂのベース部３２Ｂの長手方向における中央部を除いた部分にそれぞれ二つずつのスリット２９ｂ、２９ｂとスリット３２ｄ、３２ｄを形成してもよい。このように構成した場合には、結合部９の軸部３６を何れか一方のスリット２９ｂ、２９ｂと何れか一方のスリット３２ｄ、３２ｄに挿入して結合部９と被取付体６を付け替えることができる。従って、スタンド３Ｂにあっても、第１の支持ベース７Ｂと第２の支持ベース８Ｂの位置を調整して電子機器２の安定した支持状態を確保することができる。
【０１２６】
［まとめ］
以上に記載した通り、スタンド３、３Ａ、３Ｂにあっては、長手方向における両端部にそれぞれ脚部３０、３０、・・・及び脚部３３、３３、・・・が設けられたベース部２９、２９Ａ、２９Ｂ及びベース部３２、３２Ａ、３２Ｂを有する第１の支持ベース７、７Ａ、７Ｂ及び第２の支持ベース８、８Ａ、８Ｂが重ねられた状態で互いに回動可能に連結されている。また、第１の支持ベース７、７Ａ、７Ｂ及び第２の支持ベース８、８Ａ、８Ｂの長手方向における少なくとも一方の端部がそれぞれ載置面１００に接して電子機器２を支える支え部３４、３４、・・・として設けられている。
【０１２７】
従って、スタンド３、３Ａ、３Ｂが電子機器２から取り外される非使用状態において、第１の支持ベース７、７Ａ、７Ｂと第２の支持ベース８、８Ａ、８Ｂを回動して閉じ位置の状態とすることができるので、非使用状態におけるスタンド３、３Ａ、３Ｂの小型化を図ることができる。
【０１２８】
また、スタンド３、３Ａ、３Ｂにより電子機器２が支持される使用状態において、第１の支持ベース７、７Ａ、７Ｂ及び第２の支持ベース８、８Ａ、８Ｂの長手方向における少なくとも一方の端部がそれぞれ載置面１００に接して電子機器２を支える支え部３４、３４、・・・として機能し電子機器２が少なくとも３箇所で支持される。従って、非使用状態におけるスタンド３、３Ａ、３Ｂの小型化を図った上で使用状態における電子機器２の支持状態の安定化を図ることができる。
【０１２９】
［本技術］
なお、本技術は以下のような構成とすることができる。
【０１３０】
（１）電子機器に取り付けられ少なくとも一部が載置面に接した状態で前記電子機器を支持し、前記電子機器に取り付けられる被取付体と、前記被取付体が結合された第１の支持ベースと、少なくとも一部が前記第１の支持ベースに重ねられた状態で前記第１の支持ベースと互いに回動可能に連結された第２の支持ベースとを備え、前記第１の支持ベース及び前記第２の支持ベースはそれぞれ所定の方向に延びるように形成されたベース部と前記ベース部の長手方向における両端部にそれぞれ設けられた脚部とを有し、前記第１の支持ベース及び前記第２の支持ベースの前記長手方向における少なくとも一方の端部がそれぞれ前記載置面に接して前記電子機器を支える支え部として設けられたスタンド。
【０１３１】
（２）前記第１の支持ベース及び前記第２の支持ベースの前記各ベース部がそれぞれ板状に形成され、前記第１の支持ベースと前記第２の支持ベースの前記各ベース部の少なくとも一部が厚さ方向において重ねられた状態とされ、前記第１の支持ベース及び前記第２の支持ベースの前記各脚部は前記ベース部の幅方向における長さがそれぞれ前記第１の支持ベース及び前記第２の支持ベースの前記各ベース部の幅より短くされ、前記第１の支持ベース及び前記第２の支持ベースは前記各ベース部の前記長手方向が一致する閉じ位置と前記第１の支持ベース及び前記第２の支持ベースの回動方向における前記各ベース部間の角度が所定の角度になる開き位置との間で回動され、前記閉じ位置において前記第１の支持ベースの脚部と前記第２の支持ベースの脚部とが前記第１の支持ベースと前記第２の支持ベースの回動方向において隣接するようにされた前記（１）に記載のスタンド。
【０１３２】
（３）前記第１の支持ベース及び前記第２の支持ベースの前記各ベース部は前記長手方向における長さが同じにされ、前記第１の支持ベース及び前記第２の支持ベースの前記各ベース部は前記両端部以外の部分の幅が同じにされ、前記第１の支持ベースの一方の前記脚部が前記ベース部の幅方向における一方の部分に設けられ、前記第１の支持ベースの他方の前記脚部が前記ベース部の幅方向における他方の部分に設けられ、前記第２の支持ベースの前記ベース部における前記両端部にそれぞれ前記長手方向及び幅方向に開口された切欠が形成され、前記切欠はそれぞれ前記第２の支持ベースの前記ベース部における前記開き位置から前記閉じ位置への回動方向側に位置された前記（２）に記載のスタンド。
【０１３３】
（４）前記第１の支持ベース及び前記第２の支持ベースの少なくとも一方の前記ベース部に前記長手方向に延びるスリットが形成され、前記スリットに挿入され前記スリットに案内されて相対的に移動可能とされる軸部を有すると共に前記被取付体に結合された結合部が設けられ、前記軸部が他方の前記ベース部を貫通され、前記結合部と前記他方のベース部を有する支持ベースとが前記一方のベース部を有する支持ベースに対して一体で相対的に移動されるようにした前記（１）から前記（３）の何れかに記載のスタンド。
【０１３４】
（５）前記第１の支持ベースと前記第２の支持ベースが前記長手方向における中央部において連結され、前記被取付体が前記第１の支持ベースの前記長手方向における中央部に結合された前記（１）から前記（３）の何れかに記載のスタンド。
【０１３５】
（６）前記被取付体に前記第１の支持ベースに対して傾動可能な傾動部を設けた前記（１）から前記（５）の何れかに記載のスタンド。
【０１３６】
（７）前記被取付体に前記傾動部をロックするロック部を設けた前記（６）に記載のスタンド。
【０１３７】
（８）前記脚部がゴム又はエラストマーにより形成された前記（１）から前記（７）の何れかに記載のスタンド。
【０１３８】
（９）前記第１の支持ベースの前記ベース部における前記第２の支持ベースが重ねられる側と反対側にクッションが取り付けられ、少なくとも前記第１の支持ベースの前記ベース部及び前記クッションが持ち手として機能するグリップ部として設けられた前記（１）から前記（８）の何れかにスタンド。
【０１３９】
（１０）電子機器と、前記電子機器に取り付けられて少なくとも一部が載置面に接した状態で前記電子機器を支持するスタンドとを備え、前記スタンドは、前記電子機器に取り付けられる被取付体と、前記被取付体が結合された第１の支持ベースと、少なくとも一部が前記第１の支持ベースに重ねられた状態で前記第１の支持ベースと互いに回動可能に連結された第２の支持ベースとを備え、前記第１の支持ベース及び前記第２の支持ベースはそれぞれ所定の方向に延びるように形成されたベース部と前記ベース部の長手方向における両端部にそれぞれ設けられた脚部とを有し、前記第１の支持ベース及び前記第２の支持ベースの前記長手方向における少なくとも一方の端部がそれぞれ前記載置面に接して前記電子機器を支える支え部として設けられた機器ユニット。
【０１４０】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１４１】
【図１】図２乃至図１９と共に本技術スタンド及び機器ユニットの実施の形態を示すものであり、本図は、機器ユニットの斜視図である。
【図２】スタンドの斜視図である。
【図３】スタンドの分解斜視図である。
【図４】スタンドにおける被取付体等を示す拡大断面図である。
【図５】スタンドの一部を分解し一部を断面にした状態で示す斜視図である。
【図６】スタンドの断面図である。
【図７】閉じ位置に回動された状態を示すスタンドの底面図である。
【図８】開き位置に回動された状態を示すスタンドの底面図である。
【図９】図１、図１０乃至図１４と共にスタンドの使用状態を示すものであり、本図は、スタンドが電子機器の一方の側面に取り付けられて電子機器を支持する状態を示す斜視図である。
【図１０】スタンドが電子機器の一方の側面に取り付けられて電子機器を支持する状態を示す側面図である。
【図１１】二つのスタンドが電子機器の両側面にそれぞれ取り付けられて電子機器を支持する状態を示す斜視図である。
【図１２】二つのスタンドが電子機器の両側面にそれぞれ取り付けられて電子機器を支持する状態を示す側面図である。
【図１３】スタンドが電子機器の上面に取り付けられて電子機器の持ち運びが行われる状態を示す正面図である。
【図１４】スタンドが電子機器から取り外され閉じ位置に回動された状態を示す斜視図である。
【図１５】図１６乃至図１９と共に第２の実施形態に係るスタンドを示すものであり、本図は、スタンドの分解斜視図である。
【図１６】第１の支持ベースと第２の支持ベースが相対的に移動された状態の一例を示す底面図である。
【図１７】第１の支持ベースと第２の支持ベースが相対的に移動された状態の別の例を示す底面図である。
【図１８】スタンドが電子機器の下面に取り付けられて電子機器を支持する状態を示す斜視図である。
【図１９】支持ベースに複数のスリットが形成されたスタンドの例を示す底面図である。
【符号の説明】
【０１４２】
１…機器ユニット、２…電子機器、３…スタンド、６…被取付体、７…第１の支持ベース、８…第２の支持ベース、９…結合部、１０…傾動部、２０…可動部（ロック部）、２１…ロックネジ（ロック部）、２９…ベース部、３０…脚部、３１…クッション、３２…ベース部、３２ｂ…切欠、３３…脚部、３４…支え部、３６…軸部、３Ａ…スタンド、７Ａ…第１の支持ベース、８Ａ…第２の支持ベース、２９Ａ…ベース部、２９ｂ…スリット、３２Ａ…ベース部、３２ｄ…スリット、３Ｂ…スタンド、７Ｂ…第１の支持ベース、８Ｂ…第２の支持ベース、２９Ｂ…ベース部、３２Ｂ…ベース部、１００…載置面
【図１】
2013030499.tif 000003
【図２】
2013030499.tif 000004
【図３】
2013030499.tif 000005
【図４】
2013030499.tif 000006
【図５】
2013030499.tif 000007
【図６】
2013030499.tif 000008
【図７】
2013030499.tif 000009
【図８】
2013030499.tif 000010
【図９】
2013030499.tif 000011
【図１０】
2013030499.tif 000012
【図１１】
2013030499.tif 000013
【図１２】
2013030499.tif 000014
【図１３】
2013030499.tif 000015
【図１４】
2013030499.tif 000016
【図１５】
2013030499.tif 000017
【図１６】
2013030499.tif 000018
【図１７】
2013030499.tif 000019
【図１８】
2013030499.tif 000020
【図１９】
2013030499.tif 000021